(57)【特許請求の範囲】
【請求項１】
第１の部材と、
前記第１の部材に対して垂直な位置関係で接続する第２の部材と、
前記第１の部材と第２の部材とで共用する支持部材と、を備え、
前記支持部材は、前記第１の部材及び前記第２の部材に形成された凹部に嵌合し、前記第２の部材に形成された凹部は前記第１の部材と前記第２の部材との接続端側とは反対の面に形成されており、前記支持部材は前記第２の部材が前記第１の部材に対して接続解除する方向に動くことを規制する
組立家具。
【請求項２】
平板と、
前記平板に対して垂直な位置関係で接続する２枚の側板と、
前記平板と前記側板とで共用するフレームと、を備え、
前記フレームは、前記平板及び前記側板に形成された凹部に嵌合し、前記側板に形成された凹部は前記平板と前記側板との接続端側とは反対の面に形成されており、前記フレームは前記側板が前記平板に対して接続解除する方向に動くことを規制する
組立家具。
【請求項３】
前記フレームは略コの字型形状であり、前記側板の外面側の凹部に嵌合する第１及び第２直線部と前記平板の床面側の凹部に嵌合する第３直線部とからなる
請求項２に記載の組立家具。
【請求項４】
前記フレームが前記側板の凹部に嵌合された状態で当該状態を保持するためにクサビが装着される
請求項３に記載の組立家具。
【請求項５】
底板と、
前記底板に対して垂直な位置関係で接続する複数の支柱と、
前記底板と前記支柱とで共用するフレームと、を備え、
前記フレームは、前記底板及び前記支柱に形成された凹部に嵌合し、前記支柱に形成された凹部は前記底板と前記支柱との接続端側とは反対の面に形成されており、前記フレームは前記支柱が前記底板に対して接続解除する方向に動くことを規制する
組立家具。
【請求項６】
平板を更に有し、
前記フレームの一部は前記支柱の上端から突出した突出部を有し、
前記平板は前記フレームの前記突出部により固定される
請求項５に記載の組立家具。
【請求項７】
前記フレームは略コの字型形状であり、前記支柱の外面側の凹部に嵌合する第１及び第２直線部と前記底板の上面の凹部に嵌合する第３直線部とからなる
請求項５に記載の組立家具。
【請求項８】
前記底板は複数枚あり、中央で交差して一体となり、
前記支柱は４枚あり、それぞれが底板の各端部に接続されており、
前記底板と前記支柱とが、前記フレームにより一体に構成されている
請求項７に記載の組立家具。
【発明の詳細な説明】
【技術分野】
【０００１】
本発明は、テーブルや机等の組立家具に関する。
【背景技術】
【０００２】
従来、種々の組立家具が提案されている。
【０００３】
例えば、特許文献１では、基本構造体に接合区画が設定されており、１つの接合区画が２つの接合片と、スペーサと、ロッド体と、キャップ部及びボトム部で構成され、システム家具として組立可能とされた組立家具が開示されている。
【０００４】
さらに、特許文献２では、連結用金属片を用いて、引き起こし操作に伴い連結用金属片に発生する曲げ応力により塑性変形して壁面構成部材間の相対位置を保持する組立家具が開示されている。
【先行技術文献】
【特許文献】
【０００５】
【特許文献１】特開２０１１−２０６０８６号公報
【特許文献２】特開２０１５−７０８９０号公報
【発明の概要】
【発明が解決しようとする課題】
【０００６】
しかしながら、特許文献１に係る組立家具は、部品点数が多く組立が煩雑で、組立時間にも長時間を要していた。
【０００７】
さらに、特許文献２に係る組立家具は、側板、天板、底板等の壁面構成部材に対して連結用金属片及び金属片連結部を予め配設する必要があり、取り付けに係る設計並びに加工に、手間、時間、及びコストがかかっていた。
【０００８】
本発明は、このような課題に鑑みてなされたものであり、製造工数が少なく、更には組立に関わる部品点数が少なく、簡易且つ迅速に組み立てることが可能な組立家具を提供することを目的とする。
【課題を解決するための手段】
【０００９】
上記課題を解決するため、本発明の第１の態様に係る組立家具は、第１の部材と、前記第１の部材に対して垂直な位置関係で接続する第２の部材と、前記第１の部材と第２の部材とで共用する支持部材と、を備え、前記支持部材は、前記第１の部材及び前記第２の部材に形成された凹部に嵌合し、前記第２の部材に形成された凹部は前記第１の部材と前記第２の部材との接続端側とは反対の面に形成されており、前記支持部材は前記第２の部材が前記第１の部材に対して接続解除する方向に動くことを規制する。
【００１０】
本発明の第２の態様に係る組立家具は、平板と、前記平板に対して垂直な位置関係で接続する２枚の側板と、前記平板と前記側板とで共用するフレームと、を備え、前記フレームは、前記平板及び前記側板に形成された凹部に嵌合し、前記側板に形成された凹部は前記平板と前記側板との接続端側とは反対の面に形成されており、前記フレームは前記側板が前記平板に対して接続解除する方向に動くことを規制する。
【００１１】
本発明の第３の態様に係る組立家具は、底板と、前記底板に対して垂直な位置関係で接続する複数の支柱と、前記底板と前記支柱とで共用するフレームと、を備え、前記フレームは、前記底板及び前記支柱に形成された凹部に嵌合し、前記支柱に形成された凹部は前記底板と前記支柱との接続端側とは反対の面に形成されており、前記フレームは前記支柱が前記底板に対して接続解除する方向に動くことを規制する。
【発明の効果】
【００１２】
本発明によれば、製造工数が少なく、更には組立に関わる部品点数が少なく、簡易且つ迅速に組み立てることが可能な組立家具を提供することができる。
【００１３】
さらに、本発明によれば、強度を確保するための余計な部材が不要であることから、美しい美的外観とすることが可能である。また、そのような外観により、物を置き易い、足を入れ易い等、機能面も向上させることができる。さらに、組立が簡易且つ迅速に行えるということは、分解も容易であることを意味し、必要に応じて組立前後の形態をとることができる等、実用性も向上させることができる。
【図面の簡単な説明】
【００１４】
【図１】（ａ）乃至（ｃ）は、本発明の第１実施形態に係る組立家具の構成図である。
【図２】（ａ）及び（ｂ）は、本発明の第１実施形態に係る組立家具の組立に関わる仕組みを示す図である。
【図３】（ａ）及び（ｃ）は、本発明の第１実施形態に係る組立家具の組立に関わる仕組みを示す図である。
【図４】（ａ）乃至（ｄ）は、本発明の第１実施形態に係る組立家具の構成図である。
【図５】（ａ）及び（ｂ）は、本発明の第１実施形態に係る組立家具の構成図である。
【図６】（ａ）乃至（ｅ）は、本発明の第１実施形態に係る組立家具の組立工程を示す図である。
【図７】本発明の第２実施形態に係る組立家具の構成図である。
【図８】本発明の第２実施形態に係る組立家具の分解斜視図である。
【図９】（ａ）乃至（ｄ）は、本発明の第２実施形態に係る組立家具の構成図である。
【図１０】（ａ）乃至（ｃ）は、本発明の第２実施形態に係る組立家具の組立工程を示す図である。
【図１１】（ａ）乃至（ｃ）は、本発明の第２実施形態に係る組立家具の組立工程を示す図である。
【図１２】（ａ）乃至（ｃ）は、本発明の第２実施形態に係る組立家具の組立工程を示す図である。
【図１３】（ａ）乃至（ｃ）は、本発明の第３実施形態に係る組立家具の構成図である。
【図１４】（ａ）乃至（ｄ）は、本発明の第３実施形態に係る組立家具の構成図である。
【図１５】本発明の第１実施形態に係る組立家具の改良例を説明する図である。
【発明を実施するための形態】
【００１５】
以下、図面を参照して、本発明の実施形態について説明する。
【００１６】
本発明の組立家具は、第１の部材と、第１の部材に対して垂直な位置関係で接続する第２の部材と、第１の部材と第２の部材とで共用するものであって、その一部が第１の部材及び第２の部材に嵌合する支持部材とを備えている。そして、支持部材は、第１の部材及び第２の部材に形成された凹部に嵌合し、第１の部材又は第２の部材に形成された凹部の少なくともいずれかは第１の部材と第２の部材との接続端側とは反対の面に形成されている。ここで、第１の部材とは例えば平板であってよく、第２の部材とは複数の側板であってよい。その場合には、側板の凹部は、平板と側板との接続端側とは反対の面に形成される。ゆえに、平板と側板との接続が解除される方向に側板が動こうとすると、支持部材としてのフレーム等が、その動きを規制するように働く。つまり、第１の部材と第２の部材との接続関係が支持部材により強固に保持される。
【００１７】
＜第１実施形態＞
図１（ａ）には本発明の第１実施形態に係る組立家具を上方から見た斜視図を示し、図１（ｂ）には同実施形態に係る組立家具を下方から見た斜視図を示し、図１（ｃ）には同実施形態に係る組立家具の分解斜視図を示し、説明する。
【００１８】
これらの図１（ａ）乃至図１（ｃ）に示されるように、この組立家具１は、平板２、側板３，４、及びフレーム５で構成されている。そして、平板２には、組立時に床面を向く平面の中央に、その長手方向に沿って、フレーム５の一部が嵌合される凹部２ａが設けられている。さらに、平板２の側板３，４との接続端には、組立時に側板３，４と嵌合する凸部２ｂ，２ｃが設けられている。より具体的には、平板２の側板３，４への接続端のそれぞれにおいて、平板２の底面から所定の高さだけ平板２の長手方向に沿って所定幅突出した凸部２ｂ，２ｃが設けられている。一方、側板３，４には、組立時に内面となる平面の上端近傍に長手方向に沿って平板２の凸部２ｂ，２ｃが嵌合される凹部３ａ，４ａが設けられている。より具体的には、側板３，４には、それぞれ上端から所定長だけ離れて長手方向に沿って直線状に延びた凹部３ａ，４ａが設けられている。そして、側板３，４の上記内面とは反対側の外面となる平面には、その中央で短手方向に沿って、フレーム５の一部が嵌合される凹部３ｂ，４ｂが設けられている。この凹部３ｂ，４ｂの上方の所定長だけは側板３，４の内面から外面にかけて貫通した切込部３ｃ，４ｃとなっている。フレーム５が側板３，４の凹部３ｂ，４ｂに嵌合した状態で、クサビ６ａ，６ｂが側板３，４の底面の略中央に嵌合され、フレーム５と側板３，４とが一体となるよう状態が保持されるようになっている。フレーム５は、平板２の凹部２ａと側板３，４の凹部３ｂ，４ｂにそれぞれ嵌合するように、コの字型の形状となっている。
【００１９】
図２（ａ）及び図２（ｂ）には、本発明の第１実施形態に係る組立家具の組立に関わる仕組みを更に詳細に示し、説明する。
【００２０】
図２（ａ）に示されるように、組立に際しては、フレーム５の角部を、側板３，４の凹部３ｂ，４ｂの上部の切込部３ｃ，４ｃに挿入し、フレーム５が凹部３ｂ，４ｂに嵌合するように、傾斜した側板３，４を垂直に立ち上がらせる。その過程で、側板３，４の上方の凹部３ａ，４ａに平板２の左右の接続端に設けられた凸部２ｂ，２ｃを嵌合させ、平板２の凹部２ａにフレーム５の一部を嵌合させる。これにより、図２（ｂ）に示されるような位置関係で、平板２、側板３，４、及びフレーム５が一体となる。尚、図２（ａ）に示されるように、フレーム５の下方端部には、後述するようにクサビを受けるための切欠部が設けられている。
【００２１】
図３（ａ）乃至図３（ｃ）には、組立時に嵌合する平板２側の凸部２ｂ，２ｃと側板３，４の凹部３ａ，４ａの構成を更に詳細に示し、説明する。
【００２２】
図３（ａ）の領域１００の詳細な構成は図３（ｂ）に示され、図３（ａ）の領域１０１の詳細な構成は図３（ｃ）に示される。側板３の凹部３ａは、側板３の上端近傍において側板３の長手方向に延びており、側板３の左右の端から端まで所定の深さで略矩形状にくり抜かれた構成となっている（図３（ｂ）参照）。一方、平板２の凸部２ｃは、平板２の右方の端において、平板２の上面から所定長だけ下方にて、所定の幅及び高さで水平方向に突出している（図３（ｃ）参照）。
【００２３】
図４（ａ）乃至図４（ｄ）には、本発明の第１実施形態に係る組立家具を各面の方向から見た様子を示し説明する。図４（ａ）は上面図、図４（ｂ）は平面図、図４（ｃ）は正面図、図４（ｄ）は側面図である。
【００２４】
図４（ａ）に示されるように、フレーム５が嵌合する凹部２ａは平板２の床面側の平面に設けられているので、上面側は溝等がないフラットな平面となっている。そして、図４（ｂ）に示されるように、側板３，４の凹部３ｂ，４ｂは、側板３，４の外面側に形成されており、切込部３ｃ，４ｃ（図４（ａ）参照）を除いて、側板３，４の内面側には貫通していない。この例では、側板３，４の幅を２５ｍｍとした場合、凹部３ｂ，４ｂの深さは１６ｍｍ、つまり幅全体に対して４／５の深さとしているが、これには限定されない。図４（ｃ）に示されるように、平板２の凸部２ｂ，２ｃは、側板３，４の凹部３ａ，４ａに嵌合するが、凸部２ｂ，２ｃの上側の角部は傾斜面とされている。同様に、凹部３ａ，４ａの下側の角部も傾斜面とされている。これにより、側板３，４を傾けた状態で平板２の凸部２ｂ，２ｃを側板３，４の凹部３ａ，４ａに挿入しやすいようにしている。そして、図４（ｄ）に示されるように、側板４の底面は、中央部に向けて所定角度で傾斜した傾斜部４ｄを有している。これにより、底面の中央にクサビ６ａ，６ｂを差し込んだ場合に、側板３，４の底面の両端の平坦部４ｅのみが床面に当接するような高さとなるようにして設置安定性を保持している。つまり、クサビ６ａ，６ｂの部分は、床面から少し浮いたような位置関係となる。これは、側板３についても同様である。
【００２５】
図５（ａ）には図４（ａ）のＡＡ’線での断面図を示し、図５（ｂ）には図４（ａ）のＢＢ’線での断面図を示し、更に詳細に説明する。
【００２６】
図５（ａ）に示されるように、フレーム５はコの字型の形状をしており、組立時に高さ方向に延びる第１及び第２直線部５ａ，５ｂと、第１及び第２直線部５ａ，５ｂを結ぶ第３直線部５ｃからなる。第１直線部５ａは側板３の凹部３ｂに嵌合され、第２直線部５ｂは側板４の凹部４ｂに嵌合され、第２直線部５ｃは平板２の凹部２ａに嵌合される。この例では、平板２及び側板３，４の厚さはいずれも２５ｍｍであり、フレーム５の幅は第１乃至第３直線部５ａ乃至５ｃのいずれにおいても１６ｍｍであり、凹部２ａ，３ｂ，４ｂの深さと同じとなっている。従って、フレーム５は、平板２及び側板３，４の中に全て納まり、各平面にて不要な凹凸をもたらすことはない。図５（ｂ）に示されるように、平板２の凹部２ａの深さも１６ｍｍとなっている。
【００２７】
以下、図６（ａ）乃至図６（ｅ）を参照して、本発明の第１実施形態に係る組立家具の組立工程について詳細に説明する。
【００２８】
先ず、平板２を床面側の平面が表となるように床面に並べて、側板３，４を凹部３ａ，４ａが形成された平面が表となるように、且つ凹部３ａ，４ａがそれぞれ外側に位置するように並べて、フレーム５を側板３，４の近傍に並べる（図６（ａ）参照）。
【００２９】
続いて、平板２の凹部２ａにフレーム５の第３直線部５ｃを嵌合させ、床面に置かれた平板２に対してフレーム５の第１及び第２直線部５ａ，５ｂが垂直に立ち上がったような位置関係とする（図６（ｂ）参照）。
【００３０】
そして、側板３，４を内側に向けて傾斜させながら凹部３ａ，４ａの切込部３ｃ，４ｃにフレーム５の第１及び第２直線部５ａ，５ｂを挿入し、傾いた状態から側板３，４を徐々に垂直となるまで立ち上げつつ、その過程で側板３，４の凹部３ａ，４ａを平板２の凸部２ｂ，２ｃに嵌合させ、更に側板３，４の凹部３ｂ，４ｂにフレーム５の第１及び第２直線部５ａ，５ｂを挿入する（図６（ｃ）参照）。
【００３１】
こうして、側板３，４の底面の略中央部に、側板３，４に対してフレーム５が位置固定されるようにクサビ６ａ，６ｂを装着し（図６（ｄ）参照）、組立家具の組立完了となる（図６（ｅ）参照）。
【００３２】
以上説明したように、本発明の第１実施形態に係る組立家具は、平板２と、平板２に対して垂直な位置関係で接続する２枚の側板３，４と、平板２と側板３，４とで共用するものであって、その一部が平板２及び側板３，４に嵌合するフレーム５とを備える。フレーム５は、平板２及び側板３，４に形成された凹部２ａ，３ｂ，４ｂに嵌合し、側板３，４に形成された凹部３ｂ，４ｂは平板２と側板３，４との接続端側とは反対の面に形成されており、前記フレーム５は側板３，４が平板２に対して接続解除する方向に動くことを規制する。
【００３３】
ここで、記フレーム５は略コの字型形状であり、側板３，４の外面側の凹部３ｂ，４ｂに嵌合する第１及び第２直線部５ａ，５ｂと平板２の床面側の凹部２ａに嵌合する第３直線部５ｃとからなる。そしてフレーム５が側板３，４の凹部３ｂ，４ｂに嵌合された状態で当該状態を保持するためにクサビ６ａ，６ｂが装着される。即ち、側板３，４の底部にはクサビ６ａ，６ｂを打ち込むための凹部が設けられており、フレームの先端にもクサビ６ａ，６ｂを打ち込むための切欠部が設けられている。そして、フレーム５を側板３，４に嵌合した際にフレーム５の先端の切欠部と、側板３，４の底部の凹部を揃え、クサビ６ａ，６ｂを打ち込むことで、フレーム５と側板３，４とが嵌合された状態を保持することができる。
【００３４】
従って、構成部材の凹凸嵌合と共通するフレームによる位置固定により、簡易且つ迅速に組み立てられる、組立強度が高い組立家具が提供される。
【００３５】
＜第２実施形態＞
図７には本発明の第２実施形態に係る組立家具の構成を示し、図８には同実施形態に係る組立家具の分解斜視図を示し、説明する。
【００３６】
これらの図に示されるように、組立家具１０は、平板１１、支柱１２〜１５、フレーム１６，１７、及び底板１８，１９からなる。
【００３７】
平板１１の床面側に面した平面には、フレーム１６，１７の先端の突出部１６ａ，１７ａが差し込まれ位置固定される凹部１１ａが設けられている。支柱１２〜１５には、組立時に外側を向く平面に長手方向に沿ってフレーム１６，１７が嵌合される凹部１２ａ〜１５ａが設けられている。凹部１２ａ〜１５ａの上方には、フレーム１６，１７の固定部１６ｂ，１７ｂが挿通される貫通孔１２ｄ〜１５ｄが設けられている。更に、支柱１２〜１５の底面には各板を貫通した切欠部１２ｂ〜１５ｂが設けられている。この切欠部１２ｂ〜１５ｂは、凹部１２ａ〜１５ａの下方の一部と連続している。更に、支柱１２〜１５には、その下端から所定長のところに、短手方向に沿って端から端までにわたり底板１８，１９が嵌合される凹部１２ｃ〜１５ｃが設けられている。
【００３８】
フレーム１６，１７は、略コの字型の形状をしており、組立時に底板に嵌合される直線部の略中央には２つのフレーム１６，１７を交差した状態で位置決めするための相欠き部１６ｃ，１７ｃが設けられている。更に、フレーム１６，１７の各角部には、所定の高さの脚部１６ｄ、１７ｄが設けられている。これは、フレーム１６，１７と底板１８，１９とをより強固に位置固定するためのものである。
【００３９】
底板１８は、２枚の底板１８Ａ，１８Ｂで構成される。底板１８Ａ，１８Ｂには、フレーム１６の一部が嵌合される凹部１８ａが長手方向に沿って端から端まで所定の深さで設けられている。底板１８Ａ，１８Ｂは、フレーム１７に接続され底板１８として一体になったときに、その接続部である略中央においては、この凹部１８ａと交差するように短手方向に沿って端から端まで所定の深さで隙間、即ち凹部１８ｂを形成する。この凹部１８ｂには、フレーム１６の一部が嵌合される。一体化された底板１８の底面には、略中央部において底板１９の短手方向の幅と同じ幅となる凹部１８ｃが形成される。そして、一体化された底板１８の長手方向の左右両端の側面には、支柱１２〜１５のいずれかの凹部１２ｃ〜１５ｃに嵌合する凸部１８ｄが形成されている。
【００４０】
底板１９には、長手方向に沿って端から端までフレーム１６の一部が嵌合される凹部１９ａが設けられている。この凹部１９ａは底板１８と１９とが一体となったときに、底板１８の凹部１８ｂと連続するような位置関係で形成されている。底板１９には、略中央にて短手方向に沿って端から端までフレーム１７の一部が嵌合される凹部１９ｂが設けられている。この凹部１９ｂは底板１８と１９とが一体となったときに、底板１８の凹部１８ａと連続するような位置関係で形成されている。底板１９の上面の略中央には、底板１８の短手方向の幅と同じ幅となるように凹部１９ｃが形成されている。そして、底板１９の長手方向の左右両端の側面には、支柱１２〜１５のいずれかの凹部１２ｃ〜１５ｃに嵌合する凸部１９ｄが形成されている。
【００４１】
このような各部材が組み合わされて構成された組立家具の組立後の様子は図７に示される通りであり、複数の底板１８（底板１８Ａ及び１８Ｂからなる），１９が交差して土台となり、各底板の端から上方に４本の支柱１２〜１５が伸びて、当該支柱１２〜１５の上端から突出したフレームの突出部１６ａ，１７ａに平板１１の凹部１１ａが差し込まれ、固定されることになる。２枚の底板１８，１９及び４本の支柱１２〜１５は、それぞれの一部が２つのフレーム１６，１７に嵌合することで、一体化されている。
【００４２】
ここで、図９（ａ）乃至（ｃ）には、本発明の第２実施形態に係る組立家具を各面から見た様子を示し説明する。図９（ａ）は平面図、図９（ｂ）はフレームだけの側面図、図９（ｃ）は側面図、図９（ｄ）はフレームだけの側面図である。
【００４３】
先ず、図９（ａ）に示されるように、２枚の底板１８，１９は交差するように凹部１８ｃ、１９ｃ同士が嵌合されて一体となる。このとき、底板１９の凹部１９ａと底板１８の凹部１８ｂは連続するように位置関係がとられる。さらに、底板１８の長手方向の両端には支柱１２，１４がそれぞれ装着され、底板１９の長手方向の両端には支柱１３，１５がそれぞれ装着される。
【００４４】
そして、図９（ｃ）に示されるように、底板１８と支柱１２，１４は、フレーム１７により一体となるように保持されている。より詳細には、支柱１２の上方に設けられた貫通孔１２ｄよりフレーム１７の固定部１７ｂが挿通され、当該固定部１７ｂの貫通孔に棒状の固定具２０を差し込むことで、フレーム１７が支柱１２から外れないように内面側から強固に固定されている。固定具の形状は、特に限定されるものではない。
【００４５】
さらに、図９（ｂ），図９（ｄ）に示されるように、フレーム１６，１７は、略コの字型の形状をしており、支柱１２〜１５側の凹部１２ａ〜１５ａに嵌合される第１及び第２直線部１６ｅ，１６ｆ，１７ｅ，１７ｆと、底板１８，１９側の凹部１８ａ，１８ｂ，１９ａ，１９ｂに嵌合される第３直線部１６ｇ，１７ｇとで構成されている。そして、２つのフレーム１６，１７を交差した状態で用いるため、高さを揃えるために、第３直線部１６ｇ，１７ｇの略中央に相欠き部１６ｃ，１７ｃが設けられている。
【００４６】
以下、図１０（ａ）乃至図１０（ｃ）、図１１（ａ）乃至図１１（ｃ）、及び図１２（ａ）乃至図１２（ｃ）を参照して、本発明の第２実施形態に係る組立家具の組立工程を各段階に分けて詳細に説明する。
【００４７】
先ず、フレーム１６，１７の各相欠き部１６ｃ，１７ｃを交差させて（図１０（ａ）参照）、底板１８と底板１９とを、各長手方向の中心軸が直交するような位置関係で凹部１８ｃ，１９ｃとを嵌合させ、底板１８，１９の凹部１８ａ，１８ｂ，１９ａ，１９ｂに、交差させたフレーム１６，１７の第３直線部１６ｇ，１７ｇを嵌合させる（図１０（ｂ）参照）。
【００４８】
続いて、支柱１３が内側に向けて傾斜した状態で、その下方の凹部１３ｂをフレーム１６の下方に挿入する（図１０（ｃ）参照）。そして、支柱１３を底板１９に対して垂直となるように立ち上げる（図１１（ａ）参照）。この過程で、底板１９の凸部１９ｄが支柱１３の凹部１３ｃに挿入される。さらに、フレーム１６の第１直線部１６ａが、支柱１３の凹部１３ａに挿入される。そして、支柱１３が立ち上がり垂直状態となったところで、凸部１９ｄが凹部１３ｃに嵌合し、フレーム１６の第１直線部１６ａは凹部１３ａに嵌合する。この状態で、フレーム１６の固定部１６ｂが貫通孔１３ｄから突出するので、固定具２０により支柱１３の内側面の方より固定する（図１１（ｂ）参照）。これと同様の工程を、支柱１２，１４，１５についても行い、底板１８，１９に対して、フレーム１６，１７により支柱１２乃至１５を固定する（図１１（ｃ）参照）。
【００４９】
次いで、支柱１２〜１５の上方から突出したフレーム１６，１７の突出部１６ａ，１７ａに、平板１１の下面に形成された凹部１１ａを嵌め込み（図１２（ａ）参照）、平板１１を回転させることで突出部１６ａ，１７ａと凹部１１ａとの係合関係を成立させて位置固定し（図１２（ｂ）参照）、こうして組立完了となる（図１２（ｃ）参照）。尚、突出部１６ａ，１７ａと凹部１１ａの形状については、この例では、所謂寄せ蟻に近い形状であるが、これに限定されず、位置固定される形状であれば種々のものを採用できる。
【００５０】
以上説明したように、本発明の第２実施形態に係る組立家具１０は、２枚の底板１８，１９と、これら底板１８，１９に対して垂直な位置関係で接続する複数の支柱１２乃至１５と、底板１８，１９と支柱１２乃至１５とで共用するものであって、その一部が底板１８，１９及び支柱１２乃至１５に嵌合するフレーム１６，１７とを備えている。フレーム１６，１７は、底板１８，１９及び支柱１２乃至１５に形成された凹部１８ａ，１８ｂ，１９ａ，１９ｂ、１２ａ，１３ａ，１４ａ，１５ａ（切欠部１２ｂ〜１５ｂ含む）のいずれかに嵌合し、支柱１２乃至１５に形成された凹部１２ａ，１３ａ，１４ａ，１５ａは底板１８，１９と支柱１２乃至１５との接続端側とは反対の面に形成されており、フレーム１６，１７は支柱１２乃至１５が底板１８，１９に対して接続解除する方向に動くことを規制する。
【００５１】
そして、上記構成に加えて、平板１１を更に有し、フレーム１６，１７の一部は支柱１２乃至１５の上端から突出した突出部１６ａ，１７ａを有し、平板１１はフレーム１６，１７の突出部１６ａ，１７ａにより固定されてよい。フレーム１６，１７は略コの字型形状であり、支柱１２乃至１５の外面側の凹部１２ａ，１３ａ，１４ａ，１５ａに嵌合する第１及び第２直線部１６ｅ，１６ｆ，１７ｅ，１７ｆと底板１８，１９の上面の凹部１８ａ，１８ｂ，１９ａ，１９ｂに嵌合する第３直線部１６ｇ，１７ｇとからなってよい。そして、底板１８，１９は、相互に中心部で交差しており、支柱１２乃至１５は、それぞれが底板１８，１９の各端部に接続されており、底板１８（１８Ａ，１８Ｂ），１９と４枚の支柱１２乃至１５とが、フレーム１６及び１７により一体に構成されていてよい。
【００５２】
従って、構成部材の凹凸嵌合と共通するフレームによる位置固定により、簡易且つ迅速に組み立てられる、組立強度が高い組立家具が提供される。
【００５３】
＜第３実施形態＞
図１３（ａ）乃至図１３（ｃ）には、本発明の第３実施形態に係る組立家具の構成を示し、図１４（ａ）乃至図１４（ｄ）には、同実施形態に係る組立家具の固定部の形状を中心に詳細に示し、説明する。
【００５４】
図１３（ａ）、図１４（ａ）に示されるように、第３実施形態に係る組立家具３０は、平板３１と２枚の側板３２，３３と、フレーム３４で構成されており、略コの字形状のフレーム３４の側板３２，３３に嵌合される直線部分の下端には、内側に向けて突出しフレーム３４に対して回転自在の固定部３５が形成されている。側板３２，３３の底部には、フレーム３４の回転部が内側に貫通できるようにするための貫通孔が設けられている。固定部３５は、図１３（ｂ）に示されるように回転自在となっており、図１３（ｃ）に示されるような状態とすることでフレーム３４を側板３２に対して固定する。
【００５５】
すなわち、図１４（ｂ）に示されるように、固定部３５は、回動平板部３５ａと当該回動平板部３５ａをフレーム３４の下方に対して回動自在に装着するための軸部３５ｂとからなる。この固定部３５を、図１４（ｃ）に示されるように、フレーム３４の長手方向と水平となるように位置決めして、当該フレーム３４を側板３２の凹部に嵌合させた後、図１４（ｄ）に示されるように回転させれば、フレーム３４が側板３２の凹部から外れない状態に固定することができる。
【００５６】
以上、本発明の第１乃至第３の実施形態について説明したが、本発明はこれに限定されることなく、その趣旨を逸脱しない範囲で種々の改良・変更が可能である。
【００５７】
例えば、側板とフレームとを一体に固定するクサビの形状は、特に限定されるものでなく、種々の形状のものを採用することができる。また、フレームを嵌合させる凹部も側板等の略中央部に形成されることには限定されず、種々の場所に形成することができ、その数も１か所に限定されないことは勿論である。また、側板の凹部に加えて、フレームの数も前述したものに限定されない。例えば、テーブル自体が大きくなり、より強度を増したい場合には、フレームを中央１本だけでなく、分散的に２本、３本とすることも可能であることは勿論である。
【００５８】
また、図１５に示されるように、第１実施形態に係る組立家具のフレームと側板及び平板の位置関係を反転しても、同様の仕組みで組み立てることが可能である。つまり、側板５２，５３の内面側に設けられた凹部にフレームの第１直線部５４ａ，第２直線部５４ｂがそれぞれ嵌合し、平板５１の上面に設けられた凹部にフレーム５４の第３直線部５４ｃが嵌合するように所謂天板勝ちの構成としてもよい。このように側板勝ち、天板勝ちの関係を反転させることは、第２実施形態との関係でも同様に成立することは勿論である。
【符号の説明】
【００５９】
１  組立家具
２  平板
２ａ  凹部
２ｂ，２ｃ  凸部
３，４  側板
３ａ，４ａ  凹部横
３ｂ，４ｂ  凹部縦
３ｃ，４ｃ  切込部
４ｄ  傾斜部
４ｅ  平坦部
５  フレーム
６ａ，６ｂ  クサビ
１０  組立家具
１１  平板
１１ａ  凹部
１２〜１５  支柱
１２ａ，１３ａ，１４ａ，１５ａ  凹部
１２ｂ，１３ｂ，１４ｂ，１５ｂ  切欠部
１２ｃ，１３ｃ，１４ｃ，１５ｃ  凹部
１６，１７  フレーム
１６ａ，１７ａ  突出部
１６ｂ，１７ｂ  固定部
１６ｃ，１７ｃ  相欠き部
１６ｄ，１７ｄ  脚部
１６ｅ，１７ｅ  第１直線部
１６ｆ，１７ｆ  第２直線部
１６ｇ，１７ｇ  第３直線部
１８，１９  底板
１８Ａ，１８Ｂ  底板
１８ａ，１９ａ  凹部
１８ｂ  凹部（隙間）
１９ｂ  凹部
１８ｃ，１９ｃ  凹部
２０  固定具
【要約】
【課題】製造工数が少なく、更には組立に関わる部品点数が少なく、簡易且つ迅速に組み立てることが可能な組立家具を提供することができる。
【解決手段】この組立家具１は、平板２と、平板２に対して垂直な位置関係で接続する２枚の側板３，４と、平板２と側板３，４とで共用するものであって、その一部が平板２及び側板３，４に嵌合するフレーム５とを備え、フレーム５は、平板２及び側板３，４に形成された凹部に嵌合し、側板３，４に形成された凹部は平板２と側板３，４との接続端側とは反対の面に形成されており、フレーム５は側板３，４が平板２に対して接続解除する方向に動くことを規制する。
【選択図】図１【図１】
0005923210.tif 000002
【図２】
0005923210.tif 000003
【図３】
0005923210.tif 000004
【図４】
0005923210.tif 000005
【図５】
0005923210.tif 000006
【図６】
0005923210.tif 000007
【図７】
0005923210.tif 000008
【図８】
0005923210.tif 000009
【図９】
0005923210.tif 000010
【図１０】
0005923210.tif 000011
【図１１】
0005923210.tif 000012
【図１２】
0005923210.tif 000013
【図１３】
0005923210.tif 000014
【図１４】
0005923210.tif 000015
【図１５】
0005923210.tif 000016